(57)【特許請求の範囲】
【請求項１】
少なくともマストと、前記マストを昇降する駆動部と、前記駆動部に連結された作業デッキとを有する昇降式足場であって、
前記作業デッキは、複数のデッキフレームを連結して形成され、かつ前記デッキフレームと前記駆動部との間、および前記デッキフレームの間の双方またはいずれかの間を連結する連結機構を有し、
前記連結機構は、その連結角度を変更するための角度可変手段、その連結間隔を維持するための連結状態維持手段、および結合部を有し、
前記角度可変手段が前記結合部の間に介在し、
前記結合部が前記駆動部または前記デッキフレームと結合された状態で、
前記駆動部および前記作業デッキが自在に昇降することができることを特徴とする昇降式足場。
【請求項２】
前記連結機構は、いずれも多角形柱状を成した一端側連結部および他端側連結部と、前記一端側連結部と前記他端側連結部の間に配設されて前記一端側連結部と前記他端側連結部の連結角度を可変できる角度可変手段とを有することを特徴とする請求項１に記載の昇降式足場。
【請求項３】
前記連結状態維持手段は、前記一端側連結部および前記他端側連結部の双方または一方において、前記角度可変手段を摺動可能に連結することを特徴とする請求項２に記載の昇降式足場。
【請求項４】
前記角度可変手段が回転軸部を有し、前記連結機構が有する一端側連結部と他端側連結部が前記回転軸部によって回動自在に連結され、前記連結状態維持手段が、前記一端側連結部と前記他端側連結部との連結状態を維持することを特徴とする請求項１に記載の昇降式足場。
【発明の詳細な説明】
【技術分野】
【０００１】
本発明は、曲面の壁面を有する構造物、特に塔状構造物の壁面作業等に使用することができる作業デッキを備えた昇降式足場に関するものである。
【背景技術】
【０００２】
ビル等の建築現場等で用いられる作業用足場として、現場での設置および撤去が容易な昇降式足場が用いられている。昇降式足場は、ベースプレートと呼ばれる基台に取り付けられたマストを昇降する駆動部と、この駆動部に取り付けられた作業デッキとを有している（特許文献１）。かかる昇降式足場は、その作業デッキが平面視において直線的になっており、壁面がほぼ平面である構造物の壁面作業等における使用に適したものである。しかし、こうした昇降式足場を壁面が曲面をなす構造物の壁面作業等で用いると、直線的な作業デッキと局面をなす壁面との間隔を一定に保つことができず壁面作業に対する作業性が低下したり、作業員の安全確保に支障をきたしたりといった不都合等が生じる。そこで、屈曲した壁面を有する建物における昇降式足場が提案された（特許文献２〜４）。
【０００３】
特許文献２には、屈曲した壁面における壁面作業のための作業用昇降式足場が開示されている。該作業用昇降式足場は、複数の桁（デッキフレーム）を連結して一体にした作業デッキを有し、この作業デッキが平面視において台形形状を有する桁を含むことで、
屈曲した壁面に沿った形状を形成できるようになっている。しかし、構造物の壁面の屈曲（曲率）が異なる場合には、台形形状を有する桁を交換しなければならない。
【０００４】
特許文献３には、小さい弧状の足場を枢軸により次々に連結して、煙突を取り囲む環状の足場を構成する煙突用吊り足場が開示されている。しかし該足場は煙突上部からの支柱で支持されているため、煙突外壁に沿って昇降させることが困難である（昇降式足場ではない）。また該足場は、平面視半円形状を有するビル等の壁面等では、円弧形状に展開できる作業デッキが必要となるが、特許文献３は、作業デッキを円弧形状に展開するための技術的手段を開示していない。
【０００５】
特許文献４には、クレーン等で吊り下げた円環形状のゴンドラを煙突に外嵌装してなる高所作業用ゴンドラが開示されている。しかし該高所作業用ゴンドラは、クレーン等の作業用足場以外の装置を必要とするため昇降式足場とはいえない。また円環形状のゴンドラは、略円弧形状の複数の分割体とこれらを連結する伸縮機構を有して、煙突外壁の曲率に適合できるが、それも伸縮機構の調整範囲内にとどまるにすぎない。さらに該高所作業用ゴンドラの分割体（略円弧形状）は、円環形状をなすように連結されるものであって、特許文献４も作業デッキを円弧形状に展開するための技術的手段を開示していない。
【先行技術文献】
【特許文献】
【０００６】
【特許文献１】特開２０１０−１０６６０７号公報
【特許文献２】特開２０１０−１３８６５２号公報
【特許文献３】実開昭５６−５２５５５号公報
【特許文献４】実開昭６１−１５４６号公報
【発明の概要】
【発明が解決しようとする課題】
【０００７】
このように、従来の昇降式足場では、構造物の壁面の曲率の変化に対応して桁を交換しなければならないという問題がある。また煙突等の塔状構造物を対象とした作業用足場は、昇降式足場とはいえず、また構造物の壁面の曲率の変化への対応に限界があり、または作業デッキを円弧形状に展開できないという問題がある。
【０００８】
本発明は、上記問題を解決することを課題としたもので、デッキフレーム（桁）の交換をすることなく構造物の壁面の曲率の変化に対応することができ、作業デッキを円弧形状にも展開することができ、好ましくは、作業デッキが円弧形状のみならず構造物の壁面のより複雑な形状に適応して展開することができる昇降式足場の実現を目的とするものである。
【課題を解決するための手段】
【０００９】
上記課題を解決するために、本発明にかかる昇降式足場（請求項１）は、少なくともマスト、マストを昇降する駆動部、駆動部に連結されて支持された作業デッキを有し、作業デッキは複数のデッキフレームを連結して形成される。そしてデッキフレームと駆動部との間、およびデッキフレームの間の双方またはいずれかの間を連結する連結機構が設けられている。連結機構は、その連結角度を所望の角度に変えるための角度可変手段、連結角度の変更に伴って生じる、連結間隔の変化を、所望の状態に維持するための連結状態維持手段、および結合部を有している。そして、角度可変手段が結合部の間に介在し、結合部が駆動部またはデッキフレームと結合された状態で、駆動部および作業デッキが自在に昇降できるようになっている。
【００１０】
こうして、駆動部に連結されて且つ支持された作業デッキは、（デッキフレームを交換することなく）各連結機構の連結角度を調整等することで、その平面視形状を円周形状、直線形状および円弧形状とすることはもとより、さらに複雑な平面視形状とすることができる。もちろん作業デッキの平面視形状の変更によって生じる連結間隔を維持することで、作業デッキの平面視形状（例えば所定の曲率を有する円弧形状等）を維持することができる。
【００１１】
さらに該昇降式足場（請求項２）は、連結機構が一端側連結部と他端側連結部を有し、これら一端側連結部と他端側連結部をデッキフレームまたは駆動部に連結することで、デッキフレームを駆動部に連結し、または２つのデッキフレームを連結することができる。
【００１２】
ここで一端側連結部と他端側連結部は、いずれも多角形柱状をなして作業デッキに要求される強度を実現している。これら一端側連結部と他端側連結部の間には角度可変手段が配設されて、両連結部の連結角度を変動せしめることができるようになっている。例えば一端側連結部と他端側連結部を（略）三角形柱状とし、両連結部の3つのコーナー近傍を３個の角度可変手段で連結することで、これら角度可変手段は、一端側連結部と他端側連結部の間を、作業デッキに要求される強度を維持しつつ連結することができる。もちろん両連結部の3つのコーナー近傍以外の部位についても角度可変手段で連結してもよい。
【００１３】
連結状態維持手段は、一端側連結部および他端側連結部の双方または一方において、角度可変手段を摺動可能に連結していれば（請求項３）、連結状態維持手段は、その構成要素（構成部品）を交換等することなく、連結角度を調整しつつ、この調整に伴って生じる両連結部の間隔の変化に対応することができる。すなわち連結角度調整を容易に行うことができる。
【００１４】
また角度可変手段が回転軸部を有し、連結機構が有する一端側連結部と他端側連結部が回転軸部によって回動自在に連結された昇降式足場（請求項４）では、連結状態維持手段が一端側連結部と他端側連結部との連結状態を維持することができる。
【発明の効果】
【００１５】
以上述べたとおり、本発明にかかる昇降式足場によれば、デッキフレームの交換をすることなく構造物の壁面の曲率の変化に対応することができ、作業デッキを円弧形状にも展開することができ、また、作業デッキを円弧形状のみならず構造物の壁面のより複雑な形状に適応して展開することができる。
【図面の簡単な説明】
【００１６】
【図１】本発明の一実施例にかかる昇降式足場の概略構成等を説明するための図である。
【図２】図１に示す昇降式足場が有する連結機構の概略構成等を説明するための図である。
【図３】図２に示す連結機構が有する連結継手の概略構成等を説明するための図である。
【図４】図３に示す連結継手によるデッキフレーム間の連結を説明するための図である。
【図５】図１に示す昇降式足場の作業デッキを、曲面をなす構造物の壁面に沿って展開した例を説明するための図である。
【図６】図１に示す昇降式足場の連結機構の変形例を説明するための図である。
【図７】図１に示す連結機構（変形例）の継手の概略構成等を説明するための図である。
【発明を実施するための形態】
【００１７】
以下、図面を参照して本発明にかかる昇降式足場について説明する。
【実施例】
【００１８】
本発明の一実施例にかかる昇降式足場１の概略構成を図１に示す。昇降式足場１は、１つの基台１０、基台１０に立設された１本のマスト２０、マスト２０に取り付けられて昇降する駆動部３０、駆動部３０の上部に取り付けられた駆動部デッキ３１、駆動部３０の第一の側部（図１中の左側部）３０ａに連結された作業デッキ４０Ｌ、および駆動部３０の第二の側部（図１中の右側部）３０ｂに連結された作業デッキ４０Ｒを有している。
【００１９】
（作業デッキとデッキフレーム）
作業デッキ４０Ｌおよび４０Ｒは、デッキフレーム４０（ｉ）を有している（ｉ＝１、２、・・、２ｎ）。ここで作業デッキ４０Ｌは、デッキフレーム４０（１）、４０（３）、・・、４０（２ｎ−１）を有しており、作業デッキ４０Ｒは、デッキフレーム４０（２）、４０（４）、・・、４０（２ｎ）を有している。なお図１は、デッキフレーム４０（１）〜４０（４）を図示している。
【００２０】
デッキフレーム４０（ｉ）は、長さＬ（例えばＬ＝１．５ｍ）でトラス構造を有して軽量化が図られており、また連結機構５０と連結するための結合部４１をその両端に有して連結機構５０を介して隣接するデッキフレーム４０（ｊ）、または駆動部３０に連結されている（ｊ＝ｉ＋２、またはｊ＝ｉ−２）。例えばデッキフレーム４０（１）および４０（２）は、それらの一端側に連結された連結機構５０でそれぞれ駆動部３０と連結されるとともに、同様に他端側に連結された連結機構５０でそれぞれデッキフレーム４０（３）および４０（４）と連結されている。
【００２１】
（連結機構）
連結機構５０は、図２に示すように一端側連結部５１Ｌおよび他端側連結部５１Ｒを有している。一端側連結部５１Ｌおよび他端側連結部５１Ｒは、略二等辺三角形をなす三角柱形状のフレーム（例えば長さ約４０ｃｍ）で形成されており、３つの周面の１つがデッキプレート５２を載置するためのデッキプレート載置部５１１（例えば長さ約４０ｃｍで幅約９０ｃｍ）を形成している。
【００２２】
一端側連結部５１Ｌおよび他端側連結部５１Ｒは、相対して配置され略同一形状を有しているので、これらの構造を一端側連結部５１Ｌで説明する。一端側連結部５１Ｌの上部は、短手方向に３本の短手フレーム５１２ａ、５１２ｂおよび５１２ｃが（略）平行かつ等間隔に配設され、これら短手フレーム５１２ａ〜５１２ｃの両端側が長手フレーム５１３ａおよび５１３ｂと接合されて、略長方形状のデッキプレート載置部５１１（短手フレーム５１２ａ、５１２ｃおよび長手フレーム５１３ａ、５１３ｂで画された領域）を形成している。
【００２３】
デッキプレート載置部５１１の中央に配設された短手フレーム５１２ｂの下方には、１本の底部フレーム５１４が配設されている。デッキプレート載置部５１１の４つのコーナー部５１１ａ〜５１１ｄと底部フレーム５１４の両端部との間は、４本の支えフレーム５１５で一体的に接続されている。なおコーナー部５１１ａおよび５１１ｂは短手フレーム５１２ａの両端部であり、コーナー部５１１ｃおよび５１１ｄは短手フレーム５１２ｃの両端部である。
【００２４】
デッキプレート載置部５１１の長手フレーム５１３ａ側では（図２中左側）、長手フレーム５１３ａの両端部に、それぞれ結合部５１６が配設され、同様に底部フレーム５１４の端部にも結合部５１６が配設されている。これら結合部５１６が隣接するデッキフレーム４０（ｊ）の結合部４１または駆動部３０の第一の側部３０ａまたは第二の側部３０ｂと連結される。
【００２５】
一方、デッキプレート載置部５１１の長手フレーム５１３ｂ側では、短手フレーム５１２ａ〜５１２ｃの端部にそれぞれ摺動結合部５１７ａ〜５１７ｃが配設され、底部フレーム５１４の端部に摺動結合部５１７ｄが配設されている。
また短手フレーム５１２ｃは、手摺把持部５１８を有している。従ってデッキフレーム４０（ｉ）は、その両端側に連結された連結機構５０が有する一端側連結部５１Ｌおよび他端側連結部５１Ｒの手摺把持部５１８に手摺４２を取り付けることができる。なお短手フレーム５１２ａにも手摺把持部５１８を設けることで、デッキフレーム４０（ｉ）は、前後２つの手摺４２を取り付けることができる。
【００２６】
（連結継手）
図３に示すように、一端側連結部５１Ｌと他端側連結部５１Ｒとを連結するための連結継手６０は一端側継手６０１および他端側継手６０２を有している。一端側継手６０１および他端側継手６０２はヒンジ部６０３で連結されている。ヒンジ部６０３は、一端側継手６０１に固着された一端側ヒンジ６０３ａおよび他端側継手６０２に固着された他端側ヒンジ６０３ｂを有している。一端側ヒンジ６０３ａの先端部６０３ｃと他端側ヒンジ６０３ｂの先端部６０３ｄは、ボルト６０３ｅとナット６０３ｆで回動自在に接続されて、ヒンジ部６０３の回転中心部を形成している。
【００２７】
図４は、昇降式足場１の作業デッキ４１Ｒにおける、連結継手６０によるデッキフレーム４０（２）とデッキフレーム４０（４）との連結を説明するための図である。
【００２８】
デッキフレーム４０（２）には、連結手段５０の一端側連結部５１Ｌが連結されており、またデッキフレーム４０（４）には、連結手段５０の他端側連結部５１Ｒが連結されている（図４（ａ））。一端側連結部５１Ｌと他端側連結部５１Ｒとの間には、４つの連結継手６０が介在している（図４（ｂ）および（ｃ））。これら連絡継手６０の一端側継手６０１は、一端側連結部５１Ｌの摺動結合部５１７ａ〜５１７ｄに摺動可能に挿入されており、そして他端側継手６０２は、他端側連結部５１Ｒの摺動結合部５１７ａ〜５１７ｄに摺動可能に挿入されている。
【００２９】
また図４（ｂ）は、一端側連結部５１Ｌおよび他端側連結部５１Ｒの摺動結合部５１７ａの間隔よりも、摺動結合部５１７ｃの間隔が広くなるように連結手段５０の連結角度θが設定された場合を示している。連結継手６０はヒンジ部６０３を有しているから、連結機構５０の一端側連結部５１Ｌと他端側連結部５１Ｒとの連結角度の変更が可能である（デッキフレーム４０（２）とデッキフレーム４０（４）との連結角度を調整することができる。）。この角度調整に伴って生じる連結機構５０の一端側連結部５１Ｌと他端側連結部５１Ｒとの間隔の変化に対し、連結継手６０は、一端側連結部５１Ｌおよび他端側連結部５１Ｒの摺動結合部５１７ａ〜５１７ｄへの挿入長さを変えることで順応することができる（連結継手６０は、その構成要素を交換等することなく、一端側連結部５１Ｌと他端側連結部５１Ｒとの連結角度を変更することができ、かつ両者の連結状態を維持することができる。）。もちろん、連結機構５０の一端側連結部５１Ｌと他端側連結部５１Ｒとの間には、適宜デッキプレートが載置される。
【００３０】
ここで、一端側連結部５１Ｌと他端側連結部５１Ｒとの連結状態を所定の連結角度に維持するためには、ヒンジ部６０３（図３）の回転中心部をボルト６０３ｅとナット６０３ｆで締め付けてもよく、または摺動結合部５１７ａ〜５１７ｄへ挿入された連絡継手６０の一端側継手６０１および他端側継手６０２を、それぞれボルト等（図示せず）によって締め付けてもよい。
【００３１】
（作業デッキの展開例）
図５（ａ）は、半径Ｒの曲面をなす壁面７０に沿って作業デッキ４０Ｌおよび４０Ｒを展開した例を示す図である。このような場合には、壁面７０の曲率１／Ｒに応じて、各連結機構５０の連結角度を設定することで、作業デッキ４０Ｌおよび４０Ｒを壁面７０に沿って展開することができる。
【００３２】
図５（ｂ）は、作業デッキ４０Ｌおよび４０Ｒを、曲率１／Ｒが一定ではない壁面７０’に沿って展開した場合における一例を示す図である。ここでは、デッキフレーム４０（１）および４０（２）は駆動部３０と直接連結されている（これらは直線状に連結されている。）。一方デッキフレーム４０（３）およびデッキフレーム４０（４）は連結機構５０を介してデッキフレーム４０（１）およびデッキフレーム４０（２）と連結されて、連結角度を所望の角度に設定することができる。このように作業デッキ４０Ｌおよび４０Ｒは、曲面に応じて種々の平面視形状に展開することができる。また、同図では特に示していないが、曲率の凹凸が（複雑）に入れ替わるような形状に対しても、上記構成の足場は適用可能である。
【００３３】
ところで煙突等の塔状構造物の場合には、塔状構造物の中心軸を挟んだ２つの地点にそれぞれ基台１０、マスト２０および駆動部３０を設置して、２つの駆動部３０の間にそれぞれ半円形状に展開した作業デッキ４０Ｌおよび４０Ｒを連結することで、円環形状の作業デッキを有する昇降式足場とすることができる。もちろん塔状構造物の直径が大きい場合には、基台１０、マスト２０および駆動部３０をそれぞれ３台以上用いる等すればよい。このように本発明にかかる昇降式足場は、構造物の壁面の曲面の構成に応じて種々変形することができる。
【００３４】
（連結機構の変形例）
次に本発明にかかる昇降式足場の連結機構の変形例を、図６を用いて説明する。図６に示す連結機構５５は、一端側連結部５５Ｌおよび他端側連結部５５Ｒを有している。一端側連結部５５Ｌおよび他端側連結部５５Ｒは、相対して配置され略同一形状を有しているので、これらの構造を一端側連結部５５Ｌで説明する。
【００３５】
一端側連結部５５Ｌにおいて上部に配設された上部フレーム５５１はデッキフレーム４０（ｉ）の幅と略同じ長さを有し、上部フレーム５５１と平行して下部に配設された下部フレーム５５２は上部フレーム５５１の約二分の一の長さを有している。そして上部フレーム５５１の端部と下部フレーム５５２の端部とはフレーム５５３で一体的に連結されて、下部フレーム５５２、上部フレーム５５１およびフレーム５５３は略コ字形状をなしている。また上部フレーム５５１の両端と下部フレーム５５２の先端は、２本の支えフレーム５５４で連結されている（上部フレーム５５１と２本の支えフレーム５５４は略二等辺三角形を形成している。）。
【００３６】
一端側連結部５５Ｌと他端側連結部５５Ｒは、それぞれの支えフレーム５５４の両端部に形成された２つのヒンジ部５５５で回動自在に連結されている。２つのヒンジ部５５５の接続中心が、一端側連結部５５Ｌと他端側連結部５５Ｒの回転軸部５５ｃとなっている。
【００３７】
また一端側連結部５５Ｌと他端側連結部５５Ｒは、上部フレーム５５１の両端近傍および下部フレーム５５２の先端近傍に、デッキフレームデッキ５０（ｉ）または駆動部５０と連結するための結合部５５６をそれぞれ有している。このように、二等辺三角形の３つの頂点に相当する位置に配設された３つの結合部５５６とデッキフレーム４０（ｉ）の例えば結合部４１とを連結することで、連結強度を確保しつつデッキフレーム４０（ｉ）に連結機構５５を連結することができる。こうして連結機構５５は、２つのデッキフレーム４０（ｉ）とデッキフレーム４０（ｊ）との間を連結することができ、同様にデッキフレーム４０（ｉ）と駆動部３０との間を連結することができる。
【００３８】
図７に示すように、継手５６は、例えば管体の継手管体５６０とその両端に設けられたクランプ部５６１とを有している。クランプ部５６１は、継手管体５６０をクランプする継手管体クランプ５６１ａおよび連結機構５５の一端側連結部５５Ｌまたは他端側連結部５５Ｒをクランプする連結部クランプ５６１ｂを有している。ここで継手管体クランプ５６１ａと連結部クランプ５６１ｂとの接合部は自在に回動することができる。
【００３９】
２つの継手管体クランプ５６１ａおよび２つの連結部クランプ５６１ｂを緩めた状態において、一方の連結部クランプ５６１ｂを一端側連結部５５Ｌの下部フレーム５５２に、そして他方の連結部クランプ５６１ｂを他端側連結部５５Ｒの下部フレーム５５２に、それぞれ係止することができる。この状態では、全てのクランプ部５６１が緩められているから、連結機構５５の連結角度を所望の角度に設定することができる。
【００４０】
連結機構５５の連結角度を所望の角度に設定したのち、２つの継手管体クランプ５６１ａおよび２つの連結部クランプ５６１ｂを締め付けることで、連結機構５５の連結角度を所望の角度に維持することができる（連結状態を維持することができる。）。
【００４１】
もちろん２本以上の継手５６を用いてもよい。この場合には、一端側連結部５５Ｌおよび他端側連結部５５Ｒの２本の支えフレーム５５４の間を継手５６で連結することもできる。
【００４２】
なお本発明は、上述した実施例に限定されるものではなく、その趣旨を逸脱しない範囲で適宜変形して実施することができる。
【産業上の利用可能性】
【００４３】
本発明にかかる昇降式足場は、その製造、販売および建築現場での使用等が可能だから、本発明は産業上の利用可能性を有している。
【符号の説明】
【００４４】
１  昇降式足場
１０  基台
２０  マスト
３０  駆動部
４０Ｌ、４０Ｒ  作業デッキ
４０（ｉ）  デッキフレーム
５０、５５  連結機構
５１７ａ〜５１７ｄ、摺動結合部
５１Ｌ、５５Ｌ  一端側連結部（連結部）
５１Ｒ、５５Ｒ  他端側連結部（連結部）
５５ｃ  回転軸部
５６  継（ぎ）手（連結状態維持手段）
５５５  ヒンジ部（角度可変手段）
６０１  一端側継（ぎ）手（連結状態維持手段）
６０２  他端側継（ぎ）手（連結状態維持手段）
６０３  ヒンジ部（角度可変手段）
【要約】
【課題】 デッキフレームの交換をすることなく作業デッキを円弧形状、好ましくは、複雑な形状に展開することができる昇降式足場を実現する。
【解決手段】少なくともマスト２０と、マスト２０を昇降する駆動部３０と、駆動部３０に連結された作業デッキ４０Ｌ、４０Ｒを有する昇降式足場１で、作業デッキ４０Ｌ、４０Ｒは、複数のデッキフレーム４０（ｉ）を連結して形成され、かつデッキフレーム４０（ｉ）と駆動部３０との間、およびデッキフレーム４０（ｉ）および４０（ｊ）の間の双方またはいずれかに連結機構５０を有し、連結機構５０は、その連結角度を設定するための角度可変手段６０３、およびその連結間隔を維持するための連結状態維持手段６０２、６０２を有する構成とした。
【選択図】図１【図１】
0004796202.tif 000002
【図２】
0004796202.tif 000003
【図３】
0004796202.tif 000004
【図４】
0004796202.tif 000005
【図５】
0004796202.tif 000006
【図６】
0004796202.tif 000007
【図７】
0004796202.tif 000008